(57)【要約】【課題】  寸法公差が大きくても目地通りが良好で、張付の際の位置合わせが容易なタイルを提供することを目的とする。【解決手段】  正面視形状が多角形、好ましくは略方形のタイルであって、各辺は変則的な凹凸が連続してなるイレギュラーエッジであり、少なくとも辺の２か所に、位置合わせの起点となる当接部を備えてなり、当該少なくとも二つの当接部は同一直線上にあることを特徴とする。【選択図】  図１
2017066744.tif 000002
【特許請求の範囲】
【請求項１】
正面視形状が多角形のタイルであって、
各辺は変則的な凹凸が連続してなるイレギュラーエッジであり、
少なくとも辺の２か所に、位置合わせの起点となる当接部を備えてなり、
当該少なくとも二つの当接部は同一直線上にあることを特徴とする、タイル。
【請求項２】
前記少なくとも二つの当接部がある直線と平行な別の直線上に、少なくとも一つの当接部をさらに備えてなる、請求項１に記載のタイル。
【請求項３】
正面視形状が略方形である、請求項１または２に記載のタイル
【請求項４】
前記当接部は１つの辺の中央から離間して存在する、請求項１〜３のいずれか一項に記載のタイル。
【請求項５】
請求項１〜４のいずれか一項に記載のタイルを所定間隔で複数枚平面に張り付けられた、タイル張付構造。
【請求項６】
請求項１〜４のいずれか一項に記載のタイルが、第１の直線上に前記当接部を合わせ位置決めして張付けられ、
請求項１〜４のいずれか一項に記載のタイルが、前記第１の直線と平行な直線上に前記当接部を合わせ位置決めして張付けられていることで、所定間隔で複数枚平面に張り付けられた、請求項５に記載のタイル張付構造物。
【発明の詳細な説明】
【技術分野】
【０００１】
本発明は、位置揃えが容易なイレギュラーエッジのタイルおよびその張付構造に関する。
【背景技術】
【０００２】
建築基材上へ複数のタイルを配列固定する際、タイル相互間に規定の間隔で目地間隙を形成することがある。目地通りを良く施工を行なうために、規定の目地間隔を形成できるようにタイル形状を工夫する方法や、タイルの配列に多少のずれがあっても不揃いが目立たなくなるような手法が提案されている。
【０００３】
例えば、特許文献１（特開平８−１７７２１０号公報）には、目地通りの良いタイル施工が可能となるように、各辺に目地間隔形成用の凸部が設けられたタイルが記載されている。この凸部を隣接するタイルの側辺（木端面）に突き合せることで目地間隔を揃えることができる。凸部はタイルの木端面のタイル裏面寄りに設けられ、表面側のタイル側辺は直線となっている。そのため、目地材を目地に埋めることによって凸部は目地材に埋没され、結果、直線的な目地を得ることが可能となる。
【０００４】
特許文献２（特開２００２−３６４１５２号公報）には、複数個のタイルを所定幅の目地を設けるようにして張り付けるタイルパネルが記載されている。各タイルは、その側面に面取部および凹陥部を備えるように形成してなる。タイルパネルの製作寸法の誤差や取り付け位置の誤差により、互いに隣接する２枚のタイルパネルの目地の相互位置にずれが生じていても、面取り部および凹陥部によって、目地のずれを目立たなくすることができる。
【先行技術文献】
【特許文献】
【０００５】
【特許文献１】特開平８−１７７２１０号公報
【特許文献２】特開２００２−３６４１５２号公報
【発明の概要】
【発明が解決しようとする課題】
【０００６】
タイル張りの施工効率を良くするために大型のタイルを採用する場合がある。一般に、タイルサイズが大きくなるほど寸法誤差は大きくなる。目地通りの良いタイル張付構造を得るためには、タイルの寸法を揃えることが望ましい。それ故に、大型のタイルを用いる場合は、規格外品が生じてしまう可能性が高くなる。そこで、本発明は、大きな寸法誤差を許容しつつ、目地通り良くタイルを配列することが可能であり、さらに、施工時の位置合わせが容易なタイルおよびその張付構造を提供することを目的とする。
【課題を解決するための手段】
【０００７】
本発明によるタイルは、正面視形状が多角形のタイルであって、各辺は変則的な凹凸が連続してなるイレギュラーエッジであり、少なくとも辺の２か所に、位置合わせの起点となる当接部を備えてなり、当該少なくとも二つの当接部は同一直線上にあることを特徴とする。
【０００８】
また、本発明のタイル張付構造は、上記本発明によるタイルを所定間隔で複数枚平面に張り付けられたものである。
【発明の効果】
【０００９】
本発明によれば、寸法公差が大きくても目地通りが良好で、張り付けの際の位置合わせが容易なタイルを提供することができる。
【図面の簡単な説明】
【００１０】
【図１】本発明による略方形のタイルの実施形態を示す正面図である。
【図２】本発明による略方形のタイルの実施形態を示す斜視図である。
【図３】本発明による略方形のタイルを複数、所望の場所に貼付けた状態を示す説明図である。このタイルは、二つの当接部１１を直線Ａ１またはＡ２上に備える。
【図４】本発明の好ましい態様による略方形のタイルを貼付けた状態を示す説明図である。このタイルは、二つの当接部１１を直線Ａ１上に備え、かつ直線Ａ１と平行な直線Ａ１’上にさらに当接部１１を備える。
【図５】本発明による略六角形のタイルを複数、所望の場所に貼付けた状態を示す説明図である。
【図６】本発明による多角形タイルを表す図である。
【発明を実施するための形態】
【００１１】
以下、本発明の実施の形態について、図面を参照しつつ説明する。なお、各図面中、同様の構成要素には同一の符号を付して詳細な説明は適宜省略する。
【００１２】
本発明によるタイルは多角形である。すなわち、本発明によるタイルは三角形以上の多角形である。本発明を略方形のタイルを例に以下に説明する。
【００１３】
＜タイル＞
図１は本発明の一つの態様による略方形のタイルの正面図であり、図２はその斜視図である。また、図３は本発明による略方形のタイルを複数隣接して置いたとき、すなわちタイルを所望の場所に貼付けた状態を示す説明図である。図において、本発明による多角形のタイル１０は、各辺は変則的な凹凸が連続してなるイレギュラーエッジであり、少なくとも辺の２か所に、位置合わせの起点となる当接部１１を備えてなり、この少なくとも二つの当接部は同一直線上にあることを特徴とする。タイルが略方形である場合を例にとって説明すれば以下の通りである。
【００１４】
なお、本発明のタイルはセラミックからなることが好ましい。また、サイズは、短辺が５ｃｍ以上３０ｃｍ以下、長辺が１０ｃｍ以上６０ｃｍ以下、厚さが３ｍｍ以上２０ｍｍ以下であることが好ましい。長辺が１０ｃｍ未満のモザイクタイルに比べて大型のタイルなので、タイル張り付け作業が効率的に行うことができる。
【００１５】
（イレギュラーエッジ）
本発明によるタイル１０は、各辺が変則的に凹凸が連続したイレギュラーエッジである。辺を非直線で形成していることによって、タイルの寸法公差が大きくても、目地通りに違和感を与えることがない。特に大型タイルの場合、従来の直線的な辺のタイルでは辺の長さを所定範囲内におさめるために歩留りが低下することがあった。しかしながら、本発明にあっては、大型タイルであっても歩留りを低下させることがない。
【００１６】
タイルを正面視したときの辺の凹凸は、その高低差が０．５ｍｍ以上３ｍｍ以下であることが好ましい。目地を形成するためのタイル間隙、すなわちタイル間の最小幅、の２０％以上６０％以下の範囲に高低差を設定することにより、良好な目地通りを得ることができ、好ましい。
【００１７】
各辺において、凹凸は変則的に形成され、１つのタイルにおいて、対向する２辺は非平行であることが好ましい。このような態様によれば、１種類のタイルを複数枚所定の間隔で並列させたときに形成される目地は平行曲線とはならず、目地幅が不規則となり、結果、タイルの寸法公差が大きくても目地通りに違和感が生じない。
【００１８】
本発明のより好ましい態様によれば、２つのタイルを並列させたときに対向する２辺は非平行となる。異種の（例えば色違いや長辺長さが異なる）タイルを並列させたときに形成される目地は平行曲線とはならず、目地幅が不規則となり、結果、タイルの寸法公差が大きくても目地通りに違和感が生じない。
【００１９】
（当接部）
本発明によるタイル１０は、辺における所定の位置に、同一直線上にある、位置合わせの基点となる当接部１１を備えてなる。当接部１１は、イレギュラーエッジをなす凹凸の一部分であって、直線定規との当接が可能となるように、その近傍よりも突出した部位であり、好適にはタイル辺の中で最も突出した部位である。当接部１１を備えることにより、張り付けの際の位置合わせ作業を容易にすることができる。
【００２０】
当接部１１は、１つの辺に少なくとも２個所あれば良いが、２以上の個所あってもよい。当接部１１が１つの辺に少なくとも２個所あることで、辺を２点で支えることができる。そのため、位置決めが容易となり、タイル張り付け時の作業性が向上する。
【００２１】
少なくとも２つの当接部は辺の中央から離間して存在することが好ましい。このようにすることで、支点が偏在しないため安定して位置決めができる。そのため、タイル張り付け時の作業性がさらに向上する。
【００２２】
図１のタイルにあっては、当接部１１は１つの辺の端部近傍に２個所設けられている。また、当接部１１は所定の幅を備えている。当接部は点であってもよい。
【００２３】
図３は、図１に示されるタイルを貼付けた状態の説明図である。図１のタイル（１）を、基準となる直線Ａ１上に当接部１１があたるように置く。図中、直線Ａ１と当接部１１が接している箇所を白丸で示した。実際の張付け作業にあたっては、定規を用いてこれを基準となる直線Ａとする。タイル（１）を張付けた後、タイル（２）を当接部１１が直線Ａ１にあたるようにタイル（２）を張り付ける。これを続けることで、直線Ａ１に沿ったタイル列を張り付けることができる。次に、タイル（３）はタイル（１）および（２）の場合とは異なる直線Ａ２を新たな基準として、これに当接部１１を置き貼り付ける。さらにタイル（４）を同じく直線Ａ２を基準に張り付ける。このように本発明によるタイルは、張り付けの際の位置合わせが容易であり、またタイルの寸法公差が大きくても目地通りが良好なものとなる。なお、本発明にあって、張付けの基準となる複数の直線、すなわち、図３中の直線Ａ１とＡ２とは、互いに平行であることが、目地通りが良いことから好ましいが、平行ではない関係にある直線を基準に張付けることも所望であれば可能である。
【００２４】
本発明によるタイルにあって、当接部を備えた辺、すなわち直線Ａ１またはＡ２に沿った辺以外の辺の形状は、イレギュラーエッジであることを満たせば、特に限定されないが、施工性の観点から、これら辺も当接部１１を備えることもできる。貼り付けにあたり、タイルの方向性を問わず施工でき、また目地通りも良好となるからである。
【００２５】
本発明の別の態様によれば、本発明によるタイルは、上記した少なくとも二つの当接部が置かれる直線と平行な別の直線上に、さらに少なくとも一つ、好ましくは二つ以上の当接部を備えるものとされるのが好ましい。具体的には、図４に示されるように、直線Ａ１上に少なくとも二つの当接点が接し（図中白丸で示した）、さらに直線Ａ１と平行な直線Ａ１‘上に当接点を有するタイルである。このような形状のタイルによれば目地通りがさらに良好なものとなる。
【００２６】
（木端面）
本発明によるタイルは、端部の断面形状が直線的であることが好ましく、木端面は裏面に対して垂直であるか、または裏面とのなす角が７０°以上９０°未満の範囲で傾斜していることが好ましい。より好ましい木端面と裏面とのなす角は、８０°以上９０°未満である。このようにすることで、目地詰めが不要な深目地を形成することができる。
【００２７】
さらに、本発明によるタイルは、木端面の表面側および／または裏面側を面取りしても良い。面取りは平面を形成しても曲面を形成しても良い。さらに、辺を全て面取りしても部分的に面取りしても良い。
【００２８】
（裏面形状）
本発明によるタイルは、裏面に裏足または溝を設けて接着剤との密着性を高めることが好ましい。裏足高さまたは溝深さは、接着剤層の厚さの６０％以下とすることが好ましく、例えば有機系の弾性接着剤を使用する場合、好適な裏足高さまたは溝深さは０．１ｍｍ以上０．５ｍｍ以下である。
【００２９】
＜多角形のタイル＞
図５は、本発明の別の態様によるタイルであって、略六角形のタイルである。図５中のタイル（１）は、直線Ａ１上にある当接部１１を三つ有する。図中、直線Ａ１と当接部１１が接している箇所を白丸で示した。このタイル（１）を、基準となる直線Ａ１上に当接部１１があたるように置く。実際の張付け作業にあたっては、定規を用いてこれを基準となる直線Ａ１とする。タイル（１）を張付けた後、直線Ａ２を基準としてこれに当接部１１を合わせてタイル（２）を張り付ける。同様に、直線Ａ３を基準としてタイル（３）を張り付ける。これを繰り返すことで、多数のタイルを張り付けることができ、張り付けの際の位置合わせが容易であり、またタイルの寸法公差が大きくても目地通りが良好なものとなる。
【００３０】
さらに本発明の別の態様によれば、タイルは多様・複雑な形状とすることもできる。すなわち、タイル形状は、少なくとも辺の２か所に、位置合わせの起点となる当接部を備えてなり、この少なくとも二つの当接部が同一直線の上にある限り、例えば、図６に記載のようなタイル形状を取ることができる。図６（ａ）は、直線上に当接部（点で示される）を有するタイルを示し、（ｂ）はこのタイルを二つ張り付けた状態を示す図である。また、図６（ｃ）もまた直線上に当接部（点で示される）を有するタイルを示し、（ｄ）はこのタイルを二つ張り付けた状態を示す図である。図６に示されるタイルは対称形ですらない。本発明にあっては、自由な形状のタイルであって、張り付けの際の位置合わせが容易であり、またタイルの寸法公差が大きくても目地通りが良好なものを提供することができる。
【００３１】
＜タイルの製法＞
本発明のタイルの製造法は特に限定されないが、はプレス成形法にて成形することが好ましい。本発明のタイルは非直線の辺を備えているが、プレス成形法であれば、その形状を作るための切削工程等を設けることなく、従来のタイルと同じ工程で本発明のタイルを製造することができる。
【００３２】
＜釉薬層＞
本発明のタイルには、表面に釉薬層を設けてもよい。釉薬層を設けることで、意匠の選択肢が広がり、付加価値の高いタイルを提供することができる。釉薬には、通常の施釉タイルに用いられる釉薬を用いることができる。
【００３３】
＜機能性表面＞
本発明のタイルにおいては、その表面に抗菌・抗ウィルス加工を施しておくこともできる。抗菌・抗ウィルス加工は、表面に光触媒含有層を形成する光触媒加工や、銅化合物、銀化合物、および市販の銀系抗菌剤からなる群から選択される少なくとも１種を、素地、釉薬、または光触媒層に添加する加工、などを採用することができる。抗菌・抗ウィルス加工により、微生物由来の汚れの発生や、臭いの発生を抑制することができるので、好ましい。また、シリカ等の親水性物質または光触媒を含有する表面層を形成して降雨によるセルフクリーニング性や易水洗性を付与することができる。
【００３４】
＜タイル張付構造＞
本発明のタイル張付構造は、上記の本発明によるタイルを位置合わせの基点となる当接部を基準となる直線に当接させながら複数枚、平面に張り付けられたものである。
【００３５】
本発明のタイル張付構造において、平面は、壁面、床面、これらの面を形成するパネルの表面、もしくはこれら表面にパテやモルタル等で平準な面を形成した面である。
【００３６】
（接着剤）
タイルの張り付けには接着剤を用いる。本発明のタイル張付構造において、接着剤はモルタル等の無機系接着剤や後述する有機系接着剤を用いることができるが、有機系接着剤であることが好ましく、有機系の弾性接着剤であることが、より好ましい。有機系接着剤を用いることで、目地詰めが行われない深目地形成が可能であり、意匠性に優れたタイル張付構造を提供できる。
【００３７】
有機系接着剤には、アクリル系、エポキシ系、ウレタン系、アクリルシリコーン系、エポキシシリコーン系等の接着剤を単独あるいは複数組み合わせて利用でき、必要に応じて炭酸カルシウム、シリカ、炭酸マグネシウム、酸化カルシウム、酸化マグネシウム、ガラスバルーン、珪藻土、ムライト、カオリン、タルク、クレー、マイカ、ベントナイト、フライアッシュ、ケイ酸アルミニウム、酸化亜鉛等の無機充填剤やチタニア、カーボン等の無機顔料を添加したものを好適に利用できる。
【００３８】
（目地割り）
本発明のタイル張付構造は、各種目地割りを採用できるが、複数のタイルの辺を揃えて一列の目地を形成する、いわゆる、通し目地を形成することが、目地通りが良好となるため、好ましい。
【００３９】
（張付方法）
本発明のタイルを張り付ける方法は、定規を用いて、本発明のタイルの当接部を定規に当てて位置を揃えることが好ましい。
【００４０】
本発明のタイルを張り付ける方法の、他の好ましい態様は、タイルが通過可能な枠を用いることを特徴とする。この枠は、タイルの目地割りにあわせてタイルが通過する穴を複数形成されたものである。この方法にあっては、接着剤を塗布した面の上に枠を浮かせて設置し、枠の穴を通してタイルを張り付ける。この方法によれば、穴の縁にタイルの当接部を当てることで、位置合わせをより確実に行うことが可能となるだけでなく、各種の目地割りを採用することも可能となる。
【符号の説明】
【００４１】
１０…タイル、１１…当接部、１２…イレギュラーエッジ
【図１】
2017066744.tif 000003
【図２】
2017066744.tif 000004
【図３】
2017066744.tif 000005
【図４】
2017066744.tif 000006
【図５】
2017066744.tif 000007
【図６】
2017066744.tif 000008